(57)【要約】【課題】ロール状被収容物を固定する支柱部を備えロール状被収容物を引き出すことが可能な梱包箱を提供する。【解決手段】梱包箱１は、ロール状被収容物２が載置される底板１０と、底板の外周縁部に設けられた一対の第１側壁２１ａ、２１ｂ、第２側壁２２及び第３側壁２３と、開口５０を左右に二分割した右領域及び左領域をそれぞれ覆う第１蓋体３１及び第２蓋体３２と、開口を前後に二分割したうちの後領域を覆う第３蓋体３３と、を備え、第１蓋体及び第２蓋体は先端に第１支持片４１及び第２支持片４２を備え、第３蓋体は先端に第３支持片４３を備える。第１支持片、第２支持片及び第３支持片により形成された支柱部４０によりロール状被収容物は回転可能に固定され、第３側壁が開けられることで、ロール状被収容物の引き出しが可能になる。【選択図】図１
2019218084.tif 000002
【特許請求の範囲】
【請求項１】
ロール状被収容物を梱包する梱包箱であって、
前記ロール状被収容物が載置される底板と、
前記底板の外周部における互いに対向する２つの縁部に設けられた一対の第１側壁と、
前記底板の外周部における前記一対の第１側壁の形成方向に直交する方向で互いに対向する２つの縁部に設けられた第２側壁と第３側壁と、
前記一対の第１側壁の端部に隣接して設けられて、前記底板に対向する側に形成された開口を左右に二分割した右領域及び左領域をそれぞれ覆う第１蓋体及び第２蓋体と、
前記第２側壁の端部に隣接して設けられて前記開口を前後に二分割したうちの後領域を覆う第３蓋体と、を備え、
前記第１蓋体及び第２蓋体は、先端に前記底板に達する長さに延びる第１支持片及び第２支持片であって、前記第１支持片及び前記第２支持片のそれぞれの先端に係合用切り欠きが形成される第１支持片及び第２支持片、を備え、
前記第３蓋体は、先端において前記底板に達する長さに延びる第３支持片であって、前記第３支持片及び前記第３蓋体を跨がるよう形成され、前記第１支持片及び前記第２支持片が挿入される切り欠き穴が形成される第３支持片と、を備え、
組立時に、前記第１支持片、前記第２支持片及び前記第３支持片により形成された支柱部により前記ロール状被収容物は回転可能に固定され、前記第３側壁が開けられることにより、前記ロール状被収容物の引き出しが可能になる、梱包箱。
【請求項２】
前記底板の前記ロール状被収容物が載置される側の面が樹脂又はワックスによりコーティングされる、請求項１に記載の梱包箱。
【請求項３】
前記第１蓋体及び前記第２蓋体の合わせ目において、前記第１蓋体及び前記第２蓋体の何れか一方又は両方の一部を切り欠いて形成された窓を有する、請求項１又は２に記載の梱包箱。
【発明の詳細な説明】
【技術分野】
【０００１】
本発明は、梱包箱に関する。
【背景技術】
【０００２】
リボン状の長尺巾木又は排水ドレン等をロール状に巻いた巻物（以下、ロール状被収容物と呼ぶ場合がある）を梱包する場合、巻物は巻物の幅に合わせた高さの段ボール等の箱に入れられる。使用時には梱包箱の上面を開けて巻物を巻き出すが、梱包箱の上面から引き出すため、巻物がよじれる場合があった。また、梱包箱の側面から巻物を引き出そうとしても、巻物が箱の中に固定されないため、一旦巻物を全部梱包箱から取り出して使用する必要があった。巻物を梱包箱から取り出すと例えば一般に使用されるみかん箱型（ＪＩＳ  Ａ式）の段ボール箱の場合、再梱包しても完全に蓋が閉じられないため保管中、箱が潰れ、巻物が変形する場合があった。
【０００３】
また、巻物を梱包箱に入れたまま引き出すために、梱包箱に別途巻心を設けることも考えられる。しかしながら、別部材として巻心を導入することで梱包コスト及び廃棄コスト等が増加し、梱包する手間もかかる。別部材としての巻心を設けずに、梱包箱の底板又は上蓋の中央部分を織り込むことにより巻物の位置固定をすることも可能であるが、梱包箱の表面に凹部ができてしまい、荷札・ラベルの貼り付け位置が限定されてしまう。特許文献１には、ロール状のペーパー又はインクリボン等のロール状被収容物を梱包するロール収容箱が開示されるが、ロール状被収容物を入れたまま引き出すことは開示されていない。
【先行技術文献】
【特許文献】
【０００４】
【特許文献１】特開２００３−２００２９号公報
【発明の概要】
【発明が解決しようとする課題】
【０００５】
１つの側面ではロール状被収容物を固定する支柱部を備えると共に容易にロール状被収容物を引き出すことが可能な梱包箱を提供する。
【課題を解決するための手段】
【０００６】
上記課題を解決するために、１つの形態によれば、ロール状被収容物を梱包する梱包箱であって、ロール状被収容物が載置される底板と、底板の外周部における互いに対向する２つの縁部に設けられた一対の第１側壁と、底板の外周部における一対の第１側壁の形成方向に直交する方向で互いに対向する２つの縁部に設けられた第２側壁と第３側壁と、一対の第１側壁の端部に隣接して設けられて、底板に対向する側に形成された開口を左右に二分割した右領域及び左領域をそれぞれ覆う第１蓋体及び第２蓋体と、第２側壁の端部に隣接して設けられて開口を前後に二分割したうちの後領域を覆う第３蓋体と、を備え、第１蓋体及び第２蓋体は、先端に底板に達する長さに延びる第１支持片及び第２支持片であって、第１支持片及び第２支持片のそれぞれの先端に係合用切り欠きが形成される第１支持片及び第２支持片、を備え、第３蓋体は、先端において底板に達する長さに延びる第３支持片であって、第３支持片及び第３蓋体を跨がるよう形成され、第１支持片及び第２支持片が挿入される切り欠き穴が形成される第３支持片と、を備え、組立時に、第１支持片、第２支持片及び第３支持片により形成された支柱部によりロール状被収容物の中心が支持され、第３側壁が開けられることにより、ロール状被収容物の引き出しが可能になる、梱包箱を提供する。
【発明の効果】
【０００７】
開示の梱包箱により、ロール状被収容物を固定する支柱部を備えると共に容易にロール状被収容物を引き出すことが可能な梱包箱が提供される。
【図面の簡単な説明】
【０００８】
【図１】開示する梱包箱を示す斜視図であり、取り出し口からロール状被収容物の一部を引き出した状態を示す図である。
【図２】開示する梱包箱の展開図である。
【図３】（ａ）及び（ｂ）は、ロール状被収容物を梱包箱に収容する手順を示す図である。
【図４】（ａ）及び（ｂ）は、ロール状被収容物を梱包箱に収容する手順を示す図である。
【発明を実施するための形態】
【０００９】
以下、添付図面を用いて本出願の実施の形態を、具体的な実施例に基づいて詳細に説明する。また、以下の実施の形態において同一又は類似の要素には共通の参照符号を付けて示し、理解を容易にするために、これらの図面は縮尺を適宜変更している。
【００１０】
図１は本実施形態の梱包箱１を示す斜視図であり、図２は梱包箱１の展開図である。梱包箱１は、例えばリボン状の排水用ドレン材がロール状に巻かれたロール状被収容物２を収容するための梱包箱であり、例えば段ボール等により作製される。
【００１１】
梱包箱１は、ロール状被収容物２が載置される底板１０と、底板１０の外周部における互いに対向する２つの縁部１０ａ、１０ｂに設けられた一対の第１側壁２１ａ、２１ｂと、底板１０の外周部における一対の第１側壁２１ａ、２１ｂの形成方向（図の矢印Ｘ方向）に直交する方向（図の矢印Ｙ方向）で互いに対向する２つの縁部１０ｃ、１０ｄに設けられた第２側壁２２と第３側壁２３とを備える。底板１０の外周部における縁部１０ａ〜１０ｄにおいて、底板１０と、一対の第１側壁２１ａ、２１ｂ、第２側壁２２及び第３側壁２３は、それぞれ折目を介して隣接して設けられる。
【００１２】
また、梱包箱１は、一対の第１側壁２１ａ、２１ｂの端部に隣接して設けられる第１蓋体３１及び第２蓋体３２と、第２側壁２２の端部に隣接して設けられる第３蓋体３３と、を備える。第１蓋体３１及び第２蓋体３２は、底板１０に対向する側に形成された開口５０を左右（図１のＸ方向）に二分割した右領域及び左領域をそれぞれ覆うよう形成される。また、第３蓋体３３は、開口５０を前後（図１のＹ方向）に二分割したうちの後領域を覆うよう形成される。
【００１３】
第１蓋体３１及び第２蓋体３２は、それらの先端３１ａ、３２ａにおいて折目を介して設けられた第１支持片４１及び第２支持片４２を有する。第１支持片４１及び第２支持片４２は、組立時、先端３１ａ、３２ａから底板１０に達する長さに延びるよう形成される。第１支持片４１及び第２支持片４２はそれぞれの先端４１ａ、４２ａに、後述する第３支持片４３に係合するための係合用切り欠き５１、５２が形成される。
【００１４】
第３蓋体３３は、その先端３３ａにおいて折目を介して設けられた第３支持片４３を有する。第３支持片４３は、組立時、先端３３ａから底板１０に達する長さＨに延びるよう形成される。また、第３蓋体３３は、第３支持片４３及び第３蓋体３３を跨がるよう形成され、第１支持片４１及び第２支持片４２が組立時に挿入される切り欠き穴５３が形成される。組立時において、図２に点線で示す第１支持片４１、第２支持片４２及び第３支持片４３のように、十字状の支柱部４０が梱包箱１の中央に形成される。支柱部４０は、ロール状被収容物２の中心に設けられ、ロール状被収容物２は支柱部４０を中心に回転可能に固定される。第１支持片４１、第２支持片４２及び第３支持片４３の幅Ｗは、ロール状被収容物２の中央の中空部の直径に対応するよう定められる。
【００１５】
一対の第１側壁２１ａ、２１ｂの第２側部側の側部２３ａ、２３ｂには連結部２７がそれぞれ設けられ、連結部２７の先端に形成された切り込み５５を合わせることで、第１側壁２１ａ、２１ｂを起立させた状態で固定することができる。
【００１６】
第３側壁２３は開閉可能であり、第３側壁２３を開けることで、図１に示すようにロール状被収容物２の引き出しができる。一対の第１側壁２１ａ、２１ｂの第３側部側の側部には第１延長部２４がそれぞれ設けられ、収納時に、一対の第１側壁２１ａ、２１ｂと第３側壁２３との間の隙間を塞ぐよう構成される。第３側壁２３の先端には、組立時に第３側壁２３を固定する第２延長部２５が設けられる。
【００１７】
支柱部４０を設けることで、ロール状被収容物２が梱包箱１の中央に回転可能に固定されるとともに、底面又は上面に圧力がかかった場合に梱包箱１が潰れることが防止される。また、第１支持片４１及び第２支持片４２と、第３支持片４３とが十字に組み合わされることで、第１蓋体３１及び第２蓋体３２の位置が固定され、梱包箱１の形状が安定するため、ゆがみにくい。
【００１８】
底板１０の内面、又は、梱包箱１の内側全面を、ロール状被収容物２が滑りやすい樹脂（シリコン）又はワックス（カルバナ）等によりコーティングしてよい。ロール状被収容物２が回転しやすくなり、引き出しが容易になる。
【００１９】
また、図１に示すように、第１蓋体３１及び第２蓋体３２の合わせ目の一方、又は両方を一部切り欠いて窓５６を形成することにより、ロール状被収容物２を梱包した状態で、外部から残量を確認することができる。また、梱包した後、第１蓋体及び第２蓋体の合わせ目部分を、例えば透明な粘着テープにより封をすることで、梱包箱１の内部にほこりが侵入することを防止し、ロール状被収容物２の汚れを防ぐことができる。
【００２０】
図３（ａ）〜図４（ｂ）を用いて、本実施形態の梱包箱１の組立手順を説明する。
【００２１】
図３（ａ）に示すように、梱包箱１を展開した状態で、ロール状被収容物２を底板１０に載置する。次に、図３（ｂ）に示すように、一対の第１側壁２１ａ、２１ｂ及び第３側壁２３を起立させる。このとき、一対の第１側壁２１ａ、２１ｂから延びる連結部２７、２７を組み合わせることで、一対の第１側壁２１ａ、２１ｂが起立した状態に固定される。
【００２２】
図４（ａ）に示すように、第２側壁２２を起立させ、折り曲げて開口５０の後領域を覆うよう第３蓋体３３ロール状被収容物２に重ね、第３蓋体３３の先端にある第３支持片４３をロール状被収容物２の中央に折り込む。次に、図４（ｂ）に示すように、第１蓋体３１を折り、第１蓋体３１の第１支持片４１を、第３蓋体３３の切り欠き穴５３に差し込みつつ、ロール状被収容物２の中央に折り込む。さらに、第２蓋体３２の第２支持片４２を、第３蓋体３３の切り欠き穴５３に差し込みつつ、ロール状被収容物２の中央に折り込む。これにより、梱包箱１の中央に支柱部４０が完成し、ロール状被収容物２が、梱包箱１に回転可能に固定される。そして、第３側壁２３を折り込むことにより、梱包箱１が完成する。
【００２３】
梱包箱１を使用することにより、第３側壁２３を開けるだけで、ロール状被収容物２を、手早く、必要量だけを引き出すことができる。そのため、作業性がよく、また、使用後は、第３側壁２３を閉めるだけであるため収納しやすい。また、梱包箱１の中央に設けられた支柱部４０により梱包箱１の強度が増すと共に梱包箱１の潰れ又は変形が防止され、延いてはロール状被収容物２の変更を防ぐことができるので、輸送・保管が容易になる。また、別途巻心等の部材を設けていないため、作製の手間やコストが削減される。また、組立時において、接着剤及び金具を使用することなく組み立てられるため、リサイクル時に分別をする必要がない。
【００２４】
発明者らは、リボン状のエアコン用排水ドレン（４０ミリ幅、３．５ミリ厚、２５ｍ巻、重量３．２ｋｇ）を梱包する梱包箱１を作製し、使い勝手や剛性の試験を行った。エアコン用排水ドレンを梱包箱１に収納した状態で第３側壁２３を開け、取り出し口５７からエアコン用排水ドレンをよじれることなく引き出せることを確認した。また、エアコン用排水ドレンを収納した状態で１０段積み上げ、６ヶ月間放置した後、梱包箱１の変形がないことを確認した。その後、保管地と遠隔地との間を輸送し梱包箱１の状態を確認したが、梱包箱１の損傷又は変形はなかった。
【００２５】
また、発明者らは、リボン状の長尺巾木（１００ミリ幅、３．５ミリ厚、２５ｍ巻、重量５．８ｋｇ）を梱包する梱包箱１を作製し、梱包箱１から引き出すときの力を計測した。その結果、平均３４．３Ｎ（３．５ｋｇｆ）の力で引き出すことが確認できた。独立行政法人製品評価技術基盤機構の「人間特性データベース」記載のデータによると、手で引き出す力（縦パイプ：普通）の平均は、６０．７Ｎ（６．２ｋｇｆ）であり、１００ｍｍの長尺巾木を引き出すには充分であることが確認できた。
【符号の説明】
【００２６】
１    梱包箱
２    ロール状被収容物
１０    底板
２１ａ、２１ｂ    第１側壁
２２    第２側壁
２３    第３側壁
２４    第１延長部
２５    第２延長部
２７    連結部
３１    第１蓋体
３２    第２蓋体
４０    支柱部
４１    第１支持片
４２    第２支持片
４３    第３支持片
５０    開口
５１、５２    係合用切り欠き
５３    切り欠き穴
５６    窓
５７    取り出し口
【図１】
2019218084.tif 000003
【図２】
2019218084.tif 000004
【図３】
2019218084.tif 000005
【図４】
2019218084.tif 000006